(57)【特許請求の範囲】
【請求項１】
住宅設計情報提供施設または住宅展示場において配置する装置であって、住宅に使用するガラスの遮熱性を実際の温度において体験させる為に、
摂氏マイナス２０度程度の寒冷地の温度を内部温度とした箱の表面に、二重ガラスや特殊材質の遮熱性の高いガラスと通常のガラスを貼設した、寒冷地遮熱性表示装置Ｋ１を構成し、該遮熱性の高いガラスを透過した温度を表示する表面温度計１を表面側に設け、
摂氏５０度程度の酷暑地の温度を内部温度とした箱の表面に、二重ガラスや特殊材質の遮熱性の高いガラスと通常のガラスを貼設した、酷暑地遮熱性表示装置Ｋ２を構成し、該遮熱性の高いガラスを透過した温度を表示する表面温度計１１を表面側に設けたことを特徴とする住宅用ガラス性能体験装置。
【請求項２】
請求項１記載の住宅用ガラス性能体験装置において、寒冷地遮熱性表示装置Ｋ１と酷暑地遮熱性表示装置Ｋ２に併置して、遮熱性の相違するガラスの断面模型を配置したことを特徴とする住宅用ガラス性能体験装置。
【請求項３】
請求項１記載の住宅用ガラス性能体験装置において、寒冷地遮熱性表示装置Ｋ１と酷暑地遮熱性表示装置Ｋ２に併置して、該遮熱性の高いガラスが割れた場合の安全性を表現する安全性表示装置を配置したことを特徴とする住宅用ガラス性能体験装置。
【発明の詳細な説明】
【０００１】
【発明の属する技術分野】
本発明は、これから住宅を建てようとする住宅建築予定者が訪れる、住宅展示場や住宅設計情報提供施設に配置して、住宅のガラスについて、その考慮すべき点を説明し、住宅建築予定者の安心感を抱かせることができるシステムを提供するものである。
【０００２】
【従来の技術】
一般の人が住宅を建てる場合において、窓ガラス等については、殆ど要望を出すことがなく、住宅建設会社の設計者が、自分の長年のノウハウに基づいて、ガラスを決定し、これを住宅建築予定者に対して勧めるのが通常であった。
しかし、近年、住宅の遮熱性能や、防音性能等が要求されるようになり、常時同じ性能のガラスを使うことが出来なくなりつつあり、今後は、更にこの要求が高まることから、住宅建築予定者に対して、数々のガラスの見本と性能を見せて、確認させ、住宅建築予定者のそれぞれの要望に合った窓ガラスを使用することが必要となったのである。
【０００３】
【発明が解決しようとする課題】
本発明は、一般の人が知ることの少ないガラスの性能を、一瞥するだけで感得することができ、且つこの要望を住宅設計者が確認して、個性のある住宅の設計を行うことが出来るように、住宅設計情報提供施設や住宅展示場において展示する住宅用ガラス性能体験装置を提供するものである。
住宅の建設を決定する経過からすると、まず建設を考えている人は、住宅展示場に足を運び、どのような家が良いかを見るのである。その際において住宅展示場に住所と名前を書くので、この情報が、該住宅展示場にモデル住宅を建てている会社の全てに均等に住宅建築情報として与えられるのである。
この時点から同時に住宅建築予定者に対する注文取りのセールス合戦が開始されるのである。
この住宅建築予定者から確定注文を得る為には、設計図を提示するとか、住宅の模型モデルを提示するとか、縁故を頼りにセールス攻勢を掛けるとかの手練手管を使用するのである。
しかし、最も確実な方法は、自社の住宅設計情報提供施設に足を運んで貰えば、そこで色々な販促ツールを使用して、住宅建築予定者の心を掴み、安心感を与えることが出来るのである。
本住宅用ガラス性能体験装置は、住宅設計情報提供施設に配置して、訪れた住宅建築予定者に対して、ガラスの性能や効果等を説明することにより、自社の技術能力の高さをアビールし、注文を確定させる為の強力なツールとなるのである。
このように、ガラスについても、数多くの種類を用意しておくことにより、住宅建築予定者の信頼感を得て、数ある住宅建設会社の中から、自社に建築注文を出させる為の販促ツールとして使用するのである。
【０００４】
【課題を解決するための手段】
次に本発明の課題を解決するための手段を説明する。
請求項１においては、住宅設計情報提供施設または住宅展示場において配置する装置であって、住宅に使用するガラスの遮熱性を実際の温度において体験させる為に、摂氏マイナス２０度程度の寒冷地の温度を内部温度とした箱の表面に、二重ガラスや特殊材質の遮熱性の高いガラスと通常のガラスを貼設した、寒冷地遮熱性表示装置Ｋ１を構成し、該遮熱性の高いガラスを透過した温度を表示する表面温度計１を表面側に設け、摂氏５０度程度の酷暑地の温度を内部温度とした箱の表面に、二重ガラスや特殊材質の遮熱性の高いガラスと通常のガラスを貼設した、酷暑地遮熱性表示装置Ｋ２を構成し、該遮熱性の高いガラスを透過した温度を表示する表面温度計１１を表面側に設けたものである。
【０００５】
請求項２においては、請求項１記載の住宅用ガラス性能体験装置において、寒冷地遮熱性表示装置Ｋ１と酷暑地遮熱性表示装置Ｋ２に併置して、遮熱性の相違するガラスの断面模型を配置したものである。
【０００６】
請求項３においては、請求項１記載の住宅用ガラス性能体験装置において、寒冷地遮熱性表示装置Ｋ１と酷暑地遮熱性表示装置Ｋ２に併置して、該遮熱性の高いガラスが割れた場合の安全性を表現する安全性表示装置を配置したものである。
【０００７】
【発明の実施の形態】
次に本発明の実施の形態を説明する。
図１は住宅設計情報提供施設の全体俯瞰図、図２は住宅設計情報提供施設において住宅用ガラス性能体験装置の配置を示す平面図、図３は本発明の住宅用ガラス性能体験装置の全体図、図４は寒冷地遮熱性表示装置と酷暑地遮熱性表示装置を示す図面、図５は遮熱性の相違するガラスの断面模型Ｄと安全性表示装置Ａを配置した状態の図面、図６は遮熱性の相違するガラスの断面模型の拡大斜視図である。
【０００８】
図１と図２において、住宅設計情報提供施設における、本発明の住宅用ガラス性能体験装置の配置について説明する。
該住宅設計情報提供施設は、住宅建築予定者がこれから建築する住宅について、自分の所有する敷地に対する知識を得たり、該敷地に対してどのような住宅が建てられるのかの情報を得たり、該敷地においてどのような工法で、どの様な材料による建築工法が最も良いのか、等の情報を得る為の装置を配置した施設である。
その他に、各部屋の空間の必要な広さについて情報を得る空間体験装置４や、、隣接する住宅に対して、どのような位置に住宅が建てられるのかを体験する隣接住宅距離体験装置５や、各部屋の防音をどうすべきか、工事中に注意すべきことは何かを体験する防音性能体験装置６や、住宅地を仮想体験するバーチャル都市装置７や、住宅を断面して見せる住宅セクション展示装置８等が配置されている。その中に本発明の住宅用ガラス性能体験装置が配置されている。
このように住宅設計情報提供施設においては、住宅建設において必要な情報を、１箇所において、模型や装置を見ることにより、興味深く理解することが出来るようにしている。本発明の住宅用ガラス性能体験装置はその中の１つの装置である。
【０００９】
次に図３から図６において、本発明の住宅用ガラス性能体験装置の配置について説明する。
図３において示す如く、本実施例においては、寒冷地遮熱性表示装置Ｋ１と酷暑地遮熱性表示装置Ｋ２により構成した、遮熱性能表示装置Ｋと、遮熱性の相違するガラスの断面模型Ｄと、安全性表示装置Ａとを同じ面に配置している。
該寒冷地遮熱性表示装置Ｋ１は、３つの装置より構成されており、酷暑地遮熱性表示装置Ｋ２は２つの装置により構成されている。そして、前記寒冷地遮熱性表示装置Ｋ１と酷暑地遮熱性表示装置Ｋ２の横に日本地図２が配置されており、寒冷地と酷暑地が日本を２分するように図示されている。
【００１０】
該寒冷地遮熱性表示装置Ｋ１は３つの箱体と、その入口部に嵌装された遮熱性の高いガラスとにより構成されている。
該ガラスは、通常のガラスと、二重ガラスと、特殊材質の遮熱性の高いガラス等、遮熱性能の相違する３種類のガラスとしている。
内部は同じくマイナス２０度程度の低温にして、その状態で、ガラスの表側の面の温度が何度となっているかを、表面温度計１により表示している。
３つの箱体が構成されている寒冷地遮熱性表示装置Ｋ１の、それぞれの箱体の内面側が極低温に構成されており、該極低温が遮熱性の高いガラスでどのように遮熱されるかが判るように、ガラスの表面に表面温度計１が配置されている。
また内面側の温度を表示する温度計が箱体の中に配置されており、内部の低温が何度であるかを表示している。
【００１１】
同様に、酷暑地遮熱性表示装置Ｋ２においても、箱体の内部の温度は、摂氏５０度程度の高温として、遮熱性の高いガラスを透過した温度が、表面側に設けた表面温度計１１により表示されるように構成している。このように、遮熱性能の相違するガラスを比較して対比することにより、実際の遮熱性能を実感することが出来るように構成している。
図５と図６に示す如く、遮熱性の相違するガラスの断面模型Ｄを、実施例では８種類配置している。該８種類のガラスは表面から見ただけでは理解し難いので断面にして、該状態で内部の二重・三重の構造がどのような介装物により出来上がっているかを知ることが出来るように構成している。該遮熱性の相違するガラスの断面模型Ｄを見ることにより、ガラスの種類と構造を簡単に理解することが出来るのである。
【００１２】
図５に示す如く、遮熱性の相違するガラスの断面模型Ｄの上方の位置に、安全性表示装置Ａが配置されている。該安全性表示装置Ａは、遮熱性の高いガラスは殆ど割れないものであるが、若し遮熱性の高いガラスが割れた場合において、ガラスの破片が散乱することが無いということを説明展示する為のものである。
【００１３】
【発明の効果】
本発明は以上の如く構成したので、次のような効果を奏するものである。
請求項１においては、住宅設計情報提供施設または住宅展示場において配置する装置であって、住宅に使用するガラスの遮熱性を実際の温度において体験させる為に、寒冷地の温度を内部温度とした箱の表面に遮熱性の高いガラスと通常のガラスを貼設した寒冷地遮熱性表示装置と、酷暑地の温度を内部温度とした箱の表面に遮熱性の高いガラスと通常のガラスを貼設した酷暑地遮熱性表示装置とを、併置したので、遮熱性の高いガラスが寒冷地においても、酷暑地においても、その遮熱性能を十分に発揮することを、見るだけで知ることが出来るのてある。
即ち、寒冷地遮熱性表示装置の場合には、箱の内部を極低温としており、見る側が室内の役目をしており、室外の低温をどの程度ガラスで遮熱することが出来るかを、室内側の温度計と、室外側のガラス表面の温度計で知ることが出来るのである。
また、酷暑地遮熱性表示装置の場合には、内部側を５０度に近い極暑状態の温度して、見る側を室内側として、室外の高温を遮熱性の高いガラスによりどの程度遮蔽できるかを、箱の内部の温度計による高温と、ガラス表面の温度計との差により理解することが出来るように構成しているのである。
【００１４】
請求項２においては、請求項１記載の寒冷地遮熱性表示装置と酷暑地遮熱性表示装置に併置して、遮熱性の相違するガラスの断面模型を配置したので、実際に遮熱性のガラスの断面がどのようになっているのかを、実物断面により見ることが出来るので、その内部の介装物を見ることにより、遮熱性能を認識することが出来るのである。
【００１５】
請求項３の如く、請求項１記載の寒冷地遮熱性表示装置と酷暑地遮熱性表示装置に併置して、該遮熱性の高いガラスが割れた場合の安全性を表現する安全性表示装置を配置したので、割れにくい遮熱性の高いガラスが若し割れた場合においても、その破片が散らないような工夫が施されていることを理解することができ、安心して遮熱性の高いガラスを住宅の広い窓にも使用することが可能となったのである。
【図面の簡単な説明】
【図１】住宅設計情報提供施設の全体俯瞰図。
【図２】住宅設計情報提供施設において住宅用ガラス性能体験装置の配置を示す平面図。
【図３】本発明の住宅用ガラス性能体験装置の全体図。
【図４】寒冷地遮熱性表示装置と酷暑地遮熱性表示装置を示す図面。
【図５】遮熱性の相違するガラスの断面模型Ｄと安全性表示装置Ａを配置した状態の図面。
【図６】遮熱性の相違するガラスの断面模型の拡大斜視図。
【符号の説明】
Ｋ  遮熱性能表示装置
Ｋ１  寒冷地遮熱性表示装置
Ｋ２  酷暑地遮熱性表示装置
Ｄ    ガラスの断面模型
Ａ    安全性表示装置
１・１１  表面温度計
２  日本地図
【図１】
0003594411.tif 000002
【図２】
0003594411.tif 000003
【図３】
0003594411.tif 000004
【図４】
0003594411.tif 000005
【図５】
0003594411.tif 000006
【図６】
0003594411.tif 000007